(57)【特許請求の範囲】
【請求項１】
上面、底面、一対の側面、及び一対の妻面を有する形状に折り曲げられ、これらの面によって区画された、衛生用紙を収納し得る内部空間が形成された箱状をなすとともに、前記衛生用紙の取出口の外周形状と一致するように取出口形成用切り込み線が形成されたカートン本体と、
前記取出口を前記カートン本体の内側から被覆するように配置され、前記衛生用紙を取り出すためのスリットが形成されたウインドウフィルムと、を備えた衛生用紙収納用カートンであって、
前記ウインドウフィルムは、接着部によって前記カートン本体の内側に貼り付けられており、
前記カートン本体の前記一対の妻面は、前記スリットの形成方向と直交する方向に配置されており、
前記接着部は、前記取出口を包囲する長方形状に配置され、前記長方形の長辺が前記スリットの形成方向に沿って配置された部分であり、前記長方形の前記長辺の少なくとも一部が破断され、不連続部が形成されており、前記長方形の短辺が連続している衛生用紙収納用カートン。
【請求項２】
前記接着部は、前記長方形の前記長辺の少なくとも一部の幅が、前記長方形の前記短辺の最大幅よりも幅狭に形成されている請求項１に記載の衛生用紙収納用カートン。
【発明の詳細な説明】
【技術分野】
【０００１】
本発明は衛生用紙収納用カートンに関し、更に詳しくは、ウインドウフィルムを容易に引き剥がすことができる衛生用紙収納用カートンに関する。
【背景技術】
【０００２】
一般に、家庭やオフィス等で広く使われているティシュペーパーは、概ね直方体の箱（以下、「カートン」ともいう）の内部空間に収納された形で市販されている。使用者は、ティシュペーパーを使用するに際し、箱の一面（通常は箱の上面）に設けられている所定形状のミシン目（取出口形成用切り込み線）を切り離すことによって、箱に細長い取出口を形成することができる。
【０００３】
このような箱としては、例えば、予め、取出口を被覆するポリエチレンフィルム等のウインドウフィルムが箱の内側から貼着され、このウインドウフィルムの中央部に直線状のスリットが形成された箱が提案されている（例えば、特許文献１参照）。使用者は、ウインドウフィルムのスリットを通して、内部空間に収納されたティシュペーパーを外部へ引き出して使用することができる。そして、ウインドウフィルムを箱に貼着する際の接着部は、取出口を包囲する環状、特に取出口を包囲する長方形状に配置されることが多い。例えば、図７に示す衛生用紙収納用カートン１１０のように、接着部２２が取出口を包囲する長方形状に配置されており、その長方形は短辺の一部が破断された形状に構成された衛生用紙収納用カートンが提案されている（例えば、特許文献２参照）。
【０００４】
上記箱に収納されるティシュペーパーは、通常、２枚で１組とされており、各１組が継続して箱の内部から取出せるように、いわゆるポップアップ方式で交互に折り重ねられて収納されている。このように、交互に折り重ねると、ティシュペーパーの１組がスリットから引き出されたときに、次の１組が箱の内部からスリットに保持される位置まで引き出される。引き出されたティシュペーパーは、ウインドウフィルムのスリットとティシュペーパーとの摩擦力によって、ポップアップした所定位置に保持され、箱の内部に落ち込むことが防止される。また、ティシュペーパーは、ウインドウフィルムによって、外部の塵や異物から保護されている。
【０００５】
このような箱は、ティシュペーパーに限らず、ティシュペーパーを含む衛生用紙（ペーパータオル（キッチンペーパーなど）、トイレットペーパー（ロールを除く）、ワッティング（紙綿）などの使い捨て紙の総称）の収納用の箱として広く用いられている。
【０００６】
ところで、１９９７年から「容器リサイクル法」が本格施行され、容器包装の廃棄物について、消費者の分別排出、自治体の分別収集、事業者のリサイクル責任が明確にされた。これを契機として、近年、循環型経済社会の構築に向けた動きが加速度的に進行しつつある。ティシュペーパー、キッチンペーパー等の衛生用紙の使用済みカートンについても、消費者に対して、貼着されたウインドウフィルムをカートン本体から引き剥がし、分別して廃棄することが求められている。
【０００７】
そこで、貼着されたウインドウフィルムをカートン本体から引き剥がし易くし、ウインドウフィルムの分別廃棄を容易にするための様々なアイデアが提案されている。例えば、本発明者の共同研究者は先に、カートン本体にウインドウフィルムの接着部を囲む切込線を形成したカートンを既に提案している（例えば、特許文献３参照）。
【特許文献１】実公昭４１−６４６４号公報
【特許文献２】特開平９−１１８３７７号公報
【特許文献３】特開２００５−３１３９０９号公報
【発明の開示】
【発明が解決しようとする課題】
【０００８】
上記カートンは、ウインドウフィルムの接着部を囲む切込線を切開することによって、カートンの内側に貼り付けられたウインドウフィルムをカートンの外側に曝すことができる。従って、カートンの妻面を解体し、そこから手を入れて内側のウインドウフィルムを引き剥がすといった煩瑣な作業を必要とせずに、貼着されたウインドウフィルムをカートン本体から引き剥がすことができ、ウインドウフィルムの分別廃棄を容易にすることが可能である。
【０００９】
このように、本発明者の共同研究者が先に開示したカートンは、貼着されたウインドウフィルムをカートン本体から引き剥がし易くし、ウインドウフィルムの分別廃棄を容易にするという点で有用であるものの、循環型経済社会の構築に向けた動きが加速度的に進行しつつある昨今にあっては、ウインドウフィルムの引き剥がしを更に容易にする方策が求められている。例えば、年配者、子供、女性のような力の弱い者であっても、ウインドウフィルムを容易に引き剥がすことができるようなカートンが切望されている。
【００１０】
本発明は、このような従来技術の有する問題点に鑑みてなされたものであり、年配者、子供、女性のような力の弱い者であっても、カートン本体からウインドウフィルムを容易に剥がすことができる衛生用紙収納用のカートンを提供することを課題とする。
【課題を解決するための手段】
【００１１】
本発明者は上記課題を解決するために鋭意検討した結果、ウインドウフィルムをカートン本体に貼り付けている接着部の一部を不連続にして、その部分の接着強度を低下させることによって、上記課題を達成することが可能であることを見出し、本発明を完成するに至った。即ち、本発明によれば、以下に示す衛生用紙収納用カートンが提供される。
【００１２】
［１］  上面、底面、一対の側面、及び一対の妻面を有する形状に折り曲げられ、これらの面によって区画された、衛生用紙を収納し得る内部空間が形成された箱状をなすとともに、前記衛生用紙の取出口の外周形状と一致するように取出口形成用切り込み線が形成されたカートン本体と、前記取出口を前記カートン本体の内側から被覆するように配置され、前記衛生用紙を取り出すためのスリットが形成されたウインドウフィルムと、を備えた衛生用紙収納用カートンであって、前記ウインドウフィルムは、接着部によって前記カートン本体の内側に貼り付けられており、前記カートン本体の前記一対の妻面は、前記スリットの形成方向と直交する方向に配置されており、前記接着部は、前記取出口を包囲する長方形状に配置され、前記長方形の長辺が前記スリットの形成方向に沿って配置された部分であり、前記長方形の長辺の少なくとも一部が破断され、不連続部が形成されており、前記長方形の短辺が連続している衛生用紙収納用カートン。
【００１４】
［３］  上面、底面、一対の側面、及び一対の妻面を有する形状に折り曲げられ、これらの面によって区画された、衛生用紙を収納し得る内部空間が形成された箱状をなすとともに、前記衛生用紙の取出口の外周形状と一致するように取出口形成用切り込み線が形成されたカートン本体と、前記取出口を前記カートン本体の内側から被覆するように配置され、前記衛生用紙を取り出すためのスリットが形成されたウインドウフィルムと、を備えた衛生用紙収納用カートンであって、前記ウインドウフィルムは、接着部によって前記カートン本体の内側に貼り付けられており、前記接着部は、前記取出口を包囲する環状に配置されるとともに、前記スリットの形成方向に沿って配置された部分の少なくとも一部の幅が、前記スリットの形成方向と直交する方向に沿って配置された部分の最大幅よりも幅狭に形成されている衛生用紙収納用カートン。
【００１５】
［４］  前記接着部は、前記取出口を包囲する長方形状に配置され、前記長方形の長辺の少なくとも一部の幅が、前記長方形の短辺の最大幅よりも幅狭に形成されている前記［３］に記載の衛生用紙収納用カートン。
【００１６】
［５］  前記接着部は、前記スリットの形成方向に沿って配置された部分の少なくとも一部の幅が、前記スリットの形成方向と直交する方向に沿って配置された部分の最大幅よりも幅狭に形成されている前記［１］又は［２］に記載の衛生用紙収納用カートン。
【００１７】
［６］  前記ウインドウフィルムは、長方形状に構成され、その短辺方向への引っ張り強度に比して、その長辺方向への引っ張り強度が高いものであり、前記短辺が前記妻面に沿い、前記長辺が前記側面に沿うように、前記カートン本体の内側に貼り付けられている前記［１］〜［５］のいずれかに記載の衛生用紙収納用カートン。
【００１８】
［７］  前記カートン本体に、前記底面に形成され、前記底面と一の側面との稜線上における二点ａ，ｂを繋ぐ第１の押込み用切込線と、前記稜線上及び／又は前記一の側面に形成され、前記二点ａ，ｂを起点とし、前記稜線の端点又は前記上面と前記側面との稜線に達する第１の解体用切込線とが形成されている前記［１］〜［６］のいずれかに記載の衛生用紙収納用カートン。
【００１９】
［８］  前記上面の端縁から稜線を介して延出された上面外フラップと、前記底面の端縁から稜線を介して延出された底面外フラップと、を更に備え、前記上面外フラップと前記底面外フラップとが接合されて前記妻面が形成されており、前記底面外フラップは、その先端に前記上面外フラップとの接合代が付設され、その接合代と前記底面外フラップとの間には第２の解体用切込線が形成されており、前記底面に形成され、前記底面と一の妻面との稜線上における二点ｃ，ｄを繋ぐ第２の押込み用切込線と、前記底面外フラップに形成され、前記二点ｃ、ｄを起点とし、前記第２の解体用切込線に達する第３の解体用切込線とが形成されている前記［７］に記載の衛生用紙収納用カートン。
【発明の効果】
【００２０】
本発明の衛生用紙収納用カートンは、年配者、子供、女性のような力の弱い者であっても、カートン本体の内側に貼り付けられたウインドウフィルムを容易に引き剥がすことができる。
【発明を実施するための最良の形態】
【００２１】
以下、本発明を実施するための最良の形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２２】
［１］衛生用紙収納用カートン：
本発明の衛生用紙収納用カートンは、例えば、図１〜図３に示す衛生用紙収納用カートン１のように、上面２、底面４、一対の側面６、及び一対の妻面８を有する形状に折り曲げられ、これらの面によって区画された、衛生用紙を収納し得る内部空間が形成された箱状をなすとともに、衛生用紙の取出口の外周形状と一致するように取出口形成用切り込み線１４が形成されたカートン本体１６と、取出口をカートン本体１６の内側から被覆するように配置され、衛生用紙を取り出すためのスリット１８が形成されたウインドウフィルム２０と、を備えたものであり、ウインドウフィルム２０は、接着部２２によってカートン本体１６の内側に貼り付けられており、カートン本体１６の一対の妻面８は、スリット１８の形成方向と直交する方向に配置されており、接着部２２は、取出口を包囲する長方形状に配置され、長方形の長辺がスリット１８の形成方向に沿って配置された部分であり、長方形の長辺の少なくとも一部が破断され、不連続部２４（２４ａ）が形成されており、長方形の短辺が連続しているものである。
【００２３】
［１−１］カートン本体：
「カートン本体」とは、上面、底面、一対の側面、及び一対の妻面を有する形状に折り曲げられ、これらの面によって区画された、衛生用紙を収納し得る内部空間が形成された箱状をなすとともに、衛生用紙の取出口の外周形状と一致するように取出口形成用切り込み線が形成された箱体である。
【００２４】
［１−１Ａ］箱状：
「箱状」とは、上面、底面、一対の側面、及び一対の妻面を有する形状に折り曲げられ、これらの面によって区画された、衛生用紙を収納し得る内部空間が形成される形状である。このような形状としては、例えば、直方体状、立方体状等の六面体状を挙げることができる。これらの形状では、上面と底面、一の側面と他の側面、一の妻面と他の妻面が対向するように平行に配置される。これらの形状の中では、直方体状が好ましい。例えば、図１〜図３に示す衛生用紙収納用カートン１は、カートン本体１６の側面６側を長辺、妻面８側を短辺とする直方体状にカートン本体１６を構成した例である。なお、これらの形状において、二つの面の稜線部分を面取りしたものも、本明細書にいう「箱状」に含まれる。
【００２５】
「カートン本体」は、例えば、紙材料等からなるカートンブランクを折り曲げることによって、上面、底面、一対の側面、及び一対の妻面を有する形状に形成される。図４に示すカートンブランク１００は、一枚の紙材料によって、折り曲げ線を介して上面２、底面４、一対の側面６が形成されており、側面６の端縁からは、折り曲げ線を介して内フラップ２６が延出されている。
【００２６】
また、上面２の端縁からは、折り曲げ線を介して上面外フラップ２８が延出されており、これと同様に、底面４の端縁からは、折り曲げ線を介して底面外フラップ３０が延出されている。更に、底面４の一の側縁部からは、折り曲げ線を介して、側面接合代３２が延出されており、底面外フラップ３０の先端には上面外フラップ２８との接合代である妻面接合代３４が付設されている。このようなカートンブランク１００は、各折り曲げ線を折り曲げ、側面接合代３２と側面６を接合した後、妻面接合代３４と上面外フラップ２８を接合することで、一対の妻面８を形成することができる。こうすることにより、カートンブランク１００を、図１〜図３に示すような衛生用紙収納用カートン１とすることができる。
【００２７】
本発明の衛生用紙収納用カートンは、カートン本体が、底面に形成され、底面と一の側面との稜線（以下、「底面−側面稜線」と記すことにする。）上における二点ａ，ｂを繋ぐ第１の押込み用切込線と、底面−側面稜線上及び／又は一の側面に形成され、二点ａ，ｂを起点とし、底面−側面稜線の端点又は上面と側面との稜線（以下、「上面−側面稜線」と記すことにする。）に達する第１の解体用切込線と、が形成されたものであることが好ましい。
【００２８】
このようなカートンは、使用後の空のカートンを廃棄する際に、側面と底面を切り離すことによって、カートンを容易に解体することが可能である。この「カートンを容易に解体することが可能」という効果と、本発明の衛生用紙収納用カートンの「ウインドウフィルムを引き剥がし易い」という効果とが相俟って、カートンの解体、ウインドウフィルムの引き剥がしという一連の操作が一層容易かつ簡便なものとなる。従って、このようなカートンは、衛生用紙収納用カートンの分別廃棄を促進することに資するものである。
【００２９】
例えば、図１〜図３に示す衛生用紙収納用カートン１は、カートン本体１６を、底面４に形成され、底面−側面稜線３６上における二点ａ，ｂを繋ぐ第１の押込み用切込線３８と、底面−側面稜線３６上に形成され、二点ａ，ｂを起点とし、底面−側面稜線３６の端点４０に達する第１の解体用切込線４４とが形成されたものとした例である。
【００３０】
また、本発明の衛生用紙収納用カートンは、上面の端縁から稜線を介して延出された上面外フラップと、底面の端縁から稜線を介して延出された底面外フラップと、を更に備え、上面外フラップと底面外フラップとが接合されて妻面が形成されており、底面外フラップは、その先端に上面外フラップとの接合代が付設され、その接合代と底面外フラップとの間には第２の解体用切込線が形成されており、底面に形成され、底面と一の妻面との稜線上における二点を繋ぐ第２の押込み用切込線と、底面外フラップに形成され、二点を起点とし、第２の解体用切込線に達する第３の解体用切込線とが形成されていることが更に好ましい。
【００３１】
このようなカートンは、側面と底面を切り離すのみならず、妻面を形成している上面外フラップと底面外フラップを切り離すことができる。従って、カートンを更に容易に解体して平面状に展開することができ、高齢者や障害者等であっても容易にカートンを解体することが可能となる。即ち、本発明の衛生用紙収納用カートンの接合部の構成と相俟って、ウインドウフィルムの引き剥がしを更に容易なものとし、紙とプラスチックとの分別廃棄を一層簡便に行うことが可能となる。
【００３２】
例えば、図１〜図３に示す衛生用紙収納用カートン１は、上面２の端縁から稜線を介して延出された上面外フラップ２８と、底面４の端縁から稜線を介して延出された底面外フラップ３０と、を更に備えている。そして、底面外フラップ３０は、その先端に上面外フラップ２８との接合代である妻面接合代３４が付設され、上面外フラップ２８と底面外フラップ３０とは妻面接合代３４を介して接合されて妻面８が形成されており、その妻面接合代３４と底面外フラップ３０との間には第２の解体用切込線４６が形成されている。また、カートン本体１６には、底面４に形成され、底面４と一の妻面８との稜線上における二点ｃ，ｄを繋ぐ第２の押込み用切込線４８と、底面外フラップ３０に形成され、二点ｃ、ｄを起点とし、第２の解体用切込線４６に達する第３の解体用切込線５０とが形成されている例である。  
【００３３】
図１〜図３に示す衛生用紙収納用カートン１は、図５及び図６に示すような方法により解体することができる。まず、図５に示すように、第２の押込み用切込線４８の内側部分を親指で押圧して押し破ると、これに伴って第３の解体用切込線５０及び第２の解体用切込線４６も破断され、上面外フラップ２８と底面外フラップ３０とを切断することができる。次いで、第１の押込み用切込線３８の内側部分を親指で押圧して押し破ると、これに伴って第１の解体用切込線４４も破断され、底面４と側面６とを切断することができる。
【００３４】
こうすることにより、上面外フラップ２８、底面外フラップ３０、側面６及び底面４を外側に向かって切り開くことができ、図６に示すように、衛生用紙収納用カートン１を平面状に展開された状態に解体することができる。この状態であれば、ウインドウフィルム２０を極めて容易に引き剥がすことが可能である。
【００３５】
本発明の衛生用紙収納用カートンは、上面、底面、一対の側面、及び一対の妻面によって区画された内部空間が形成される。この内部空間は、衛生用紙を収納するための空間である。この内部空間に収納する衛生用紙の種類について特に制限はなく、例えば、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙（例えば、紙パルプ技術便覧第５版、第４５９頁参照、１９９２年１月３０日発行、紙パルプ技術協会編集・発行）等を挙げることができる。
【００３６】
中でも、一の衛生用紙が折り畳まれ、その折り返し部分に他の衛生用紙が挟み込まれた状態で折り畳まれることによって、複数枚の衛生用紙が連続的に積層された衛生用紙束を前記内部空間に収納することが好ましい。このような積層構造の衛生用紙は、最上層の衛生用紙を取り出すことにより、これに挟み込まれていた次層の衛生用紙の一部が取出口から突出し、衛生用紙の取出しが容易なものとなる利点がある（いわゆるポップアップ方式）。
【００３７】
本発明の衛生用紙収納用カートンを構成する材質について特に制限はない。但し、箱体を折り曲げ形成する都合上、厚紙等の紙材料を構成材料とすることが好ましい。一般に、これらの紙材料としては、例えば、木材パルプ、古紙等を原料として製造されたものを好適に用いることができる。
【００３８】
［１−１Ｂ］取出口形成用切り込み線：
「取出口形成用切り込み線」とは、衛生用紙の取出口の外周形状と一致するように形成された切り込み線である。使用者は、この切り込み線を破断することによって取出口を形成することができ、その取出口から衛生用紙を取り出すことが可能となる。
【００３９】
衛生用紙の取出口の外周形状について特に制限はなく、カートン本体や衛生用紙の形状に応じて適宜選択すればよい。但し、カートン本体として直方体状のものが多く用いられるため、その取出口の形状はカートン本体の長手方向に沿った横長形状とすることが好ましい。従って、取出口の外周形状としては、例えば、略長方形状、略長円形状、長楕円形状、菱形状、又は多角形状等の形状を挙げることができる。例えば、図１〜図３に示す衛生用紙収納用カートン１は、略長方形状の取出口形成用切り込み線１４が形成されている例である。
【００４０】
取出口形成用切り込み線は、通常、図１〜図３に示す衛生用紙収納用カートン１のように、カートン本体１６の上面２に形成されることが多いが、特にそのような制限があるわけではない。例えば、カートン本体の底面に形成されていてもよいし、他の面に形成されていてもよい。また、取出口形成用切り込み線は一の面のみに形成されていなければならないわけではなく、二以上の面（例えば、上面と底面）に形成されていてもよい。
【００４１】
なお、取出口形成用切り込み線によって包囲された部分（切取片となる部分）には、取出口形成用切り込み線の二点を繋ぐように、引剥がし用切り込み線が形成されていてもよい。このような切り込み線を形成することで、切取片の引き剥がしが容易となる利点がある。例えば、図１〜図３に示す衛生用紙収納用カートン１は、略長方形状の取出口形成用切り込み線１４の端部側に、略Ｕ字状の引剥がし用切り込み線５２が形成されている例である。
【００４２】
上記の取出口用切込線、引剥がし用切込線は、直線状の切れ目（スリット）であってもよいし、部分的につながりを有するミシン目状のものであってもよい。また、包装業界でジッパーと呼称されている切れ目が鉤形に屈曲した開封用破断線（包装産業の周知・慣用技術集第２８１頁参照、昭和５３年１２月２０日特許庁発行）や、２重線のミシン目であってもよい。例えば、図１〜図３に示す衛生用紙収納用カートン１は、取出口形成用切り込み線１４のうち、引剥がし用切り込み線５２より内側の部分を、２重線のミシン目とした例である。
【００４３】
また、本発明の衛生用紙収納用カートンにおいては、底面に一対の押上片を形成するための押上片形成用切り込み線を形成することも好ましい形態の一つである。カートン本体に収納された衛生用紙の残量が少なくなった際に、底面に形成された押上片形成用切り込み線を押圧して押し破り、カートン本体の内側に折り曲げることによって、一対の押上片を形成する。この押上片によって、カートン本体内部の衛生用紙が上面側に押し上げられので、上面の取出口から衛生用紙の最後の一枚まで、安定してポップアップさせることが可能である。例えば、図１〜図３に示す衛生用紙収納用カートン１は、底面４の中央部にＵ字状の押上片形成用切り込み線５４が１対形成された例である。
【００４４】
［１−２］ウインドウフィルム：
「ウインドウフィルム」とは、取出口をカートン本体の内側から被覆するように配置され、衛生用紙を取り出すためのスリットが形成されたフィルム材である。取出口の内側からウインドウフィルムを貼り付けると、外部の塵や異物から衛生用紙を保護することができる。また、衛生用紙を外部に取出す際に、ウインドウフィルムに形成されたスリット間の摩擦により、ポップアップした衛生用紙がカートンの内部に落ち込むことが防止され、衛生用紙を取出口から突出させた状態で保持することが可能となる。
【００４５】
［１−２Ａ］フィルム：
「フィルム」とは薄膜状の部材である。その構成材料は特に制限されないが、例えば、ポリエチレン、ポリプロピレン、ポリ塩化ビニル、ポリエステル、ポリビニルアルコール等のプラスチック；グラシン紙、クラフト紙、ケント紙、インディア紙等の印刷用紙、書道用紙、包装紙、加工原紙等の紙；等を好適に用いることができる。また、上記プラスチックとしては、生分解性プラスチックを用いてもよい。
【００４６】
「生分解性プラスチック」とは、バクテリアをはじめとする微生物、或いは酵素等の作用によって分解されるプラスチックを意味する。具体的には、ポリグリコール酸、ポリ乳酸等のポリ（α−ヒドロキシ酸）；ポリ（ε−カプロラクトン）、ポリ（β−プロキオラクトン）等のポリラクトン類；ポリ−３−ヒドロキシプロピオネート、ポリ−３−ヒドロキシブチレート、ポリ−３−ヒドロキシカプロレート、ポリ−３−ヒドロキシヘプタノエート、ポリ−３−ヒドロキシオクタノエート、ポリ−３−ヒドロキシバリレート、ポリ−４−ヒドロキシブチレート等のポリ（α−ヒドキシアルカノエート）；ポリエチレンオキサレート、ポリエチレンサクシネート、ポリエチレンアジペート、ポリエチレンアゼレート、ポリブチレンオキサレート、ポリブチレンサクシネート、ポリブチレンアジペート、ポリブチレンセバケート、ポリヘキサメチレンセバケート、ポリネオペンチルオキサレート等のグリコールとカルボン酸の縮重合体；等を挙げることができる。これらのプラスチックを構成する重合体は単独重合体に限られず共重合体であってもよい。また、生分解性に影響を与えない範囲で、ウレタン結合、アミド結合、エーテル結合等を有する重合体であってもよい。
【００４７】
上記フィルムには、透明フィルム、半透明フィルム、不透明フィルム、着色フィルムのいずれもが含まれる。また、文字や模様等が印刷されたフィルムであってもよい。フィルムの形状は、カートン本体の取出口を被覆することができる限りにおいて、どのような形状のものであってもよい。但し、取出口の形状として横長形状のものが汎用されることから、図１〜図３に示す衛生用紙収納用カートン１のように、長方形状のフィルムを用いることが好ましい。
【００４８】
更に、本発明の衛生用紙収納用カートンにおいては、ウインドウフィルムは、長方形状に構成され、その短辺方向への引っ張り強度に比して、その長辺方向への引っ張り強度が高いものであり、短辺が妻面に沿い、長辺が側面に沿うように、カートン本体の内側に貼り付けられていることが好ましい。
【００４９】
例えば、ポリエチレン、ポリプロピレン等の直鎖状ポリマーからなるプラスチックを一定方向に延伸した延伸フィルムにおいては、直鎖高分子を延伸方向に分子鎖が配向するため、延伸方向の引っ張り強度が強くなる。このような延伸フィルムをウインドウフィルムに使用した場合等には、図１〜図３に示す衛生用紙収納用カートン１のように、ウインドウフィルム２０を長方形状に構成し、その短辺が妻面８に沿い、長辺が側面６に沿うように、カートン本体１６の内側に貼り付けると、一の妻面８側から他の妻面８側に向かってウインドウフィルム２０を引き剥がすことにより、ウインドウフィルム２０が途中で破断されることなく、綺麗に剥がすことが可能となる。
【００５０】
［１−２Ｂ］スリット：
「スリット」とは、ウインドウフィルムを貫通する切れ目である。衛生用紙収納用カートン内に収納されたティシュペーパーをはじめとする衛生用紙は、このスリットを通してカートンの外部へ引き出される。例えば、図１〜図３に示す衛生用紙収納用カートン１は、ウインドウフィルム２０の中央部に直線状のスリット１８を形成した例である。
【００５１】
［１−３］接着部：
「接着部」とは、カートン本体とウインドウフィルムとを接着する部分である。即ち、ウインドウフィルムは、接着部によってカートン本体の内側に貼り付けられている。接着部は、ウインドウフィルムをカートン本体に貼り付けることができる限りにおいて、その形成方法は特に限定されるものではない。例えば、接着剤、両面テープ、熱融着等の方法によって、接着部を形成することができる。なお、接着部は着色されたものであってもよい。例えば、着色された接着剤等を用いて接着部を形成することによって、接着部の位置が容易に視認できるようになり、カートンの製造が容易になるという利点がある。
【００５２】
また、本発明の衛生用紙収納用カートンにおいては、接着部は取出口を包囲する環状に配置されていることが必要である。ここにいう「環状」とは、ある領域を区画するように、線が連続的に結ばれた形状を意味し、一の曲線が連続的に結ばれた形状のみならず、いくつかの直線が連続的に結ばれた形状も含む。具体的には、略長方形状、略長円形状、長楕円形状、長方形状、菱形状、又は多角形状等を挙げることができる。例えば、図１〜図３に示す衛生用紙収納用カートン１は、接着部２２を取出口を包囲する長方形状に配置した例である。
【００５３】
更に、本発明の衛生用紙収納用カートンにおいては、接着部が、取出口を包囲する長方形状に配置され、長方形の長辺がスリットの形成方向に沿って配置された部分であり、長方形の長辺の少なくとも一部が破断され、不連続部が形成されており、長方形の短辺が連続しているものであることが必要である。このような構成とすることにより、形成された不連続部の分だけ接着部の接着強度を低下させること（引き剥がす接着部の面積を小さくすること）ができるので、スリットの形成方向（例えば、長方形状に構成されたウインドウフィルムの長辺方向）に沿ってウインドウフィルムを容易に引き剥がすことが可能となる。従って、年配者、子供、女性のような力の弱い者であっても、カートン本体からウインドウフィルムを容易に剥がすことが可能となる。
【００５４】
これに対し、従来の衛生用紙収納用カートンは、例えば、図７に示す衛生用紙収納用カートン１１０のように、接着部のうち、スリットの形成方向に沿って配置された部分が破断されることなく連続的に形成されることが一般的であった。従って、ウインドウフィルム２０をその長辺方向に沿って引き剥がす場合に、その引き剥がしが困難となる場合がある。
【００５５】
また、本発明の衛生用紙収納用カートンは、接着剤の塗布面積を小さくすることができるので、接着剤の乾燥時間を短縮し、接着剤の使用量を減少させることが可能であり、生産効率、生産コスト、省資源の面から好ましい。
【００５６】
なお、従来は、接着剤が乾燥して接着力を発揮するまでに時間がかかるため、ウインドウフィルム自体の重量がある程度ないと、接着前にウインドウフィルムが剥がれてしまうという不具合があった。これに対し、本発明の衛生用紙収納用カートンでは、接着剤の乾燥時間を短縮することができるので、ウインドウフィルムを必要以上に厚くして重量を重くする必要がないという利点をも有する。
【００５７】
例えば、図１〜図３に示す衛生用紙収納用カートン１は、接着部２２が取出口を包囲する長方形状に配置されており、スリット１８の形成方向に沿って配置された長辺部分の一部が破断され、各３箇所（合計６箇所）の不連続部２４（２４ａ）が形成された例である。また、この例では、接着部２２のうち、スリット１８の形成方向と直交する方向に配置された短辺部分の一部に幅狭に形成された幅狭部５６を有している。このような幅狭部５６を形成することによって、その部分における接着強度を低下させることができるので、一定の幅で接着部２２を形成した場合と比較して、ウインドウフィルム２０を容易に引き剥がすことが可能となる。
【００５８】
ところで、従来の衛生用紙収納用カートンにおいても、環状の接着部の一部を破断して、接着部を不連続に形成した例が知られている。例えば、図７に示す衛生用紙収納用カートン１１０は、長方形状の接着部２２のうち、その長方形の短辺の一部が破断され、接着部が不連続に形成された例である。但し、このカートンは、紙製のウインドウフィルムに形成されたスリットがその端部から破断されてしまった場合の不具合を防止することを目的として接着部の一部を不連続に形成したものであり、接着部の接着強度を低下させることを目的とするものではない。また、ウインドウフィルムを引き剥がす際には、ウインドウフィルムの長手方向（ウインドウフィルムが長方形状に構成されている場合であれば、その長方形の長辺方向）に沿って引き剥がすことが多い。そのため、その引き剥がし方向に沿って接着部を不連続に形成することによって初めて、ウインドウフィルムを容易に引き剥がす効果が発揮される。即ち、図７に示す衛生用紙収納用カートン１１０のように、長方形状の接着部２２のうち、その長方形の短辺の一部に不連続部２４を形成した場合、環状の接着部の全てを連続的に形成した場合と比べれば、接着強度をある程度低下させることは可能であるものの、本発明の衛生用紙収納用カートンのようにウインドウフィルムを容易に引き剥がすことは困難である。
【００５９】
衛生用紙収納用カートンとしては、接着部のうち、スリットの形成方向に沿って配置された部分の少なくとも一部の幅が、スリットの形成方向と直交する方向に沿って配置された部分の最大幅よりも幅狭に形成されているものであってもよい。このような形態でも接着部の一部を不連続とする形態と同様に、その部分における接着強度を低下させることができる。従って、一定の幅で接着部を形成した場合と比較して、ウインドウフィルムを容易に引き剥がすことが可能となる。
【００６０】
この形態においても、接着部は取出口を包囲する環状であることが必要であり、好ましい環状の具体例についても同様である。また、接着部を取出口を包囲する長方形状とする場合には、長方形の長辺の少なくとも一部の幅が、長方形の短辺の最大幅よりも幅狭に形成されていることが好ましい。なお、「長方形の短辺の最大幅」とは、長方形の短辺部分の長辺方向の幅のうち最も広い幅である。
【００６１】
例えば、図８に示す衛生用紙収納用カートン１２０は、接着部２２は、取出口を包囲する長方形状に形成され、長方形の長辺の少なくとも一部の幅Ｗ１が、長方形の短辺の最大幅Ｗ２よりも幅狭に形成された例である。
【００６２】
なお、接着部のスリット形成方向に沿って配置された部分の一部を破断し不連続部を形成する形態と、接着部の一部を幅狭に形成する形態の双方を組み合わせた形態も好ましい形態の一つである。このような形態では、接着部の一部を不連続とする形態と、接着部の一部を幅狭に形成する形態の双方の効果を享受することができ、ウインドウフィルムの引き剥がし作業をより一層容易にすることが可能となる。
【００６３】
また、本発明の衛生用紙収納用カートンは、接着部のうち、スリットの形成方向に沿って配置された部分が、少なくとも一方の端部が先細りの形状に形成された先細り部を有していることが好ましい。このような構成とすることにより、先細り部の先端に向かうにつれて接着部が幅狭となるので、その部分の接着強度を低下させることができる。
【００６４】
更に、衛生用紙収納用カートンは、接着部のうち、スリットの形成方向と直交する方向に沿って配置された部分の少なくとも一部が破断され不連続部が形成されていることが好ましい。このような構成は、短辺部分に必要な接着強度を確保しつつ、接着強度を低下させることができるため、スリットの形成方向に沿って配置された部分に不連続部を形成する構成と相俟って、ウインドウフィルムをより容易に引き剥がすことが可能となる。
【００６５】
例えば、図９に示す衛生用紙収納用カートン１３０は、接着部２２が取出口を包囲する長方形状に配置されており、スリット１８の形成方向に沿って配置された長辺部分の一部が破断され、各３箇所（合計６箇所）の不連続部２４（２４ａ）が形成されるとともに、不連続部２４（２４ａ）の間に形成される接着部２２の一部が、スリット１８の形成方向と直交する方向に沿って配置された短辺部分の最大幅よりも幅狭である幅狭部５６が形成された例である。また、この例では、接着部２２のうち、長方形の長辺方向に沿って配置された部分に、先細り部２５が形成されるとともに、スリット１８の形成方向と直交する方向に配置された長方形の短辺部分の一部が破断されて、各８箇所（合計１６箇所）の不連続部２４（２４ｂ）が形成されている。
【００６６】
［２］製造方法：
本発明の衛生用紙収納用カートンは、例えば、以下の製造方法によって製造することができる。まず、接着部の形状と一致する凸面を有する押し型を用意する。次いで、この押し型の凸面に接着剤を付着させた後、カートンブランクの取出口形成用切り込み線を包囲する位置に前記押し型を当接させ、カートンブランクに接着剤を付着させる。更に、接着剤が乾燥する前に前に、予めスリットが形成されたウインドウフィルムを所定の位置に配置して貼り付ける。
【００６７】
その後、カートンブランクを折り曲げ線に沿って折り曲げ、側面と底面の側面接合代とが重ね合わせ、その重なり部分を接着剤によって接着することによって妻面側が開放された角筒状とする。次いで、角筒状のカートンブランクの内部空間に衛生用紙が積層された精製用紙束を装填する。更に、一対の内フラップを折り曲げ線に沿って折り曲げた後、上面外フラップと底面外フラップをその一部が互いに重なり合うように折り曲げ、その重なり部分を接着剤等によって接着することによって、一対の妻面を形成する。このようにして、本発明の衛生用紙収納用カートンを製造することができる。
【産業上の利用可能性】
【００６８】
本発明の衛生用紙収納用カートンは、ティシュペーパー、キッチンペーパー等のペーパータオル、シート状のトイレットペーパー、ワッティング（紙綿）等の衛生用紙を収納するためのカートンとして、好適に用いることができる。
【図面の簡単な説明】
【００６９】
【図１】本発明の衛生用紙収納用カートンの一の実施形態を示す斜視図である。
【図２】本発明の衛生用紙収納用カートンの一の実施形態を示す別の斜視図である。
【図３】本発明の衛生用紙収納用カートンの一の実施形態を示す一部平面図であり、カートンの上面を裏側から見た状態を示す図である。
【図４】本発明の衛生用紙収納用カートンの一の実施形態の一例を示す図であり、衛生用紙収納用カートンを組み立てる前のカートンブランクの状態の展開図である。
【図５】本発明の衛生用紙収納用カートンを解体する工程を示す斜視図である。
【図６】本発明の衛生用紙収納用カートンを解体する工程を示す別の斜視図である。
【図７】従来の衛生用紙収納用カートンの一の実施形態を示す一部平面図であり、カートンの上面を裏側から見た状態を示す図である。
【図８】本発明の衛生用紙収納用カートンの別の実施形態を示す一部平面図であり、カートンの上面を裏側から見た状態を示す図である。
【図９】本発明の衛生用紙収納用カートンの更に別の実施形態を示す一部平面図であり、カートンの上面を裏側から見た状態を示す図である。
【符号の説明】
【００７０】
１，１１０，１２０，１３０：衛生用紙収納用カートン、２：上面、４：底面、６：側面、８：妻面、１４：取出口形成用切り込み線、１６：カートン本体、１８：スリット、２０：ウインドウフィルム、２２：接着部、２４，２４ａ，２４ｂ：不連続部、２５：先細り部、２６：内フラップ、２８：上面外フラップ、３０：底面外フラップ、３２：側面接合代、３４：妻面接合代、３６：底面−側面稜線、３８：第１の押込み用切込線、４０：端点、４４：第１の解体用切込線、４６：第２の解体用切込線、４８：第２の押込み用切込線、５０：第３の解体用切込線、５２：引剥がし用切り込み線、５４：押上片形成用切り込み線、５６：幅狭部、１００：カートンブランク。
【図１】
0004836600.tif 000002
【図２】
0004836600.tif 000003
【図３】
0004836600.tif 000004
【図４】
0004836600.tif 000005
【図５】
0004836600.tif 000006
【図６】
0004836600.tif 000007
【図７】
0004836600.tif 000008
【図８】
0004836600.tif 000009
【図９】
0004836600.tif 000010